(57)【要約】【課題】  複数のオーディオ信号が競合しても、混合した音声が出力されるのを防止する「車載用電子装置」を提供する。【解決手段】  車載用電子装置１は、ネットワーク１２を通じて外部のＷｅｂサーバ１４からＨＴＭＬファイルを受信するＨＴＭＬファイル受信部２０と、ＨＴＭＬファイルがオーディオ信号に関する情報を含んでいるか否かを解析するＨＴＭＬファイル解析部３０と、オーディオ信号を再生するオーディオ再生部５０と、ＨＴＭＬファイルの解析結果に応じてＨＴＭＬファイルにに含まれる第１のオーディオ信号を入力する第１の入力、オーディオ再生部６０により再生された第２のオーディオ信号を入力する第２の入力を含み、予め決められた取り決めに従い第１の入力または第２の入力のいずれかを選択する音声出力選択部７０と、選択された第１または第２のオーディオ信号を出力するスピーカ９０とを有する。【選択図】  図１
2009274580.tif 000002
【特許請求の範囲】
【請求項１】
通信回線を通じて外部からマルチメディア情報を受信する受信手段と、
前記マルチメディア情報がオーディオ信号に関する情報を含んでいるか否かを解析する解析手段と、
記録媒体からオーディオ信号を読み出す読出し手段と、
前記解析手段の解析結果に応じて前記マルチメディア情報に含まれる第１のオーディオ信号を入力する第１の入力、前記読出し手段により読み出された第２のオーディオ信号を入力する第２の入力を含み、予め決められた取り決めに従い、前記第１の入力または第２の入力のいずれかを選択し、選択したオーディオ信号を再生する音声出力選択手段と、
前記音声出力選択手段により再生された第１または第２のオーディオ信号を出力する出力手段と、
を含む車載用電子装置。
【請求項２】
前記受信手段は、前記解析手段の解析結果に応じて前記マルチメディア情報に含まれる第１のオーディオ信号を前記音声出力選択手段に供給する、請求項１に記載の車載用電子装置。
【請求項３】
前記音声出力選択手段は、前記第２の入力から第２のオーディオ信号が入力されている間に、前記第１の入力から第１のオーディオ信号の入力があったとき、前記第２の入力からの第２のオーディオ信号を再生出力する、請求項１に記載の車載用電子装置。
【請求項４】
車載用電子装置はさらに、ユーザからの入力を受け取る入力手段を含み、前記入力手段から第１のオーディオ信号を出力するための入力があったとき、前記音声出力選択手段は、前記第１の入力からの第１のオーディオ信号を再生出力する、請求項３に記載の車載用電子装置。
【請求項５】
前記音声出力選択手段は、前記第１の入力から第１のオーディオ信号が入力されている間に、前記第２の入力から第２のオーディオ信号が入力されたとき、前記第２の入力からの第２のオーディオ信号を再生出力する、請求項１に記載の車載用電子装置。
【請求項６】
前記マルチメディア情報は、ネットワークに接続された情報端末からダウンロードされたＨＴＭＬファイルを含み、前記解析手段は、前記ＨＴＭＬファイルの記述から音声ファイルが含まれるか否かを解析する、請求項１に記載の車載用電子装置。
【請求項７】
前記解析手段は、前記マルチメディア情報のファイルの拡張子から音声ファイルか否かを解析する、請求項１に記載の車載用電子装置。
【発明の詳細な説明】
【技術分野】
【０００１】
本発明は、車載用電子装置に関し、特に、オーディオ信号を再生中に、音声付きＷＥＢサイトからの音声信号が入力されたときの音声出力制御に関する。
【背景技術】
【０００２】
車載用電子装置は、ＤＶＤ、ブルーレイディスクなどからオーディオ信号やビデオ信号を再生する機能、テレビ放送やラジオ放送を受信する機能、さらには自車位置周辺の道路地図を案内するナビゲーション機能等を備えており、車載用電子装置のマルチメディア化が進んでいる。
【０００３】
特許文献１は、オーディオ機能とナビゲーション機能を持つ車載用マルチメディアシステムにおいて、オーディオ再生信号の出力中にナビゲーション音声を割り込ませる場合に、ナビゲーション音声の出力が終了するまで、オーディオ再生信号の再生を一時停止させる技術を開示している。
【０００４】
【特許文献１】特開２０００−２６６５５８号
【発明の開示】
【発明が解決しようとする課題】
【０００５】
車載用電子装置は、上記のような機能に加えて、通信機能が拡充されつつある。携帯電話や、ＷｉＦｉ、ＷｉＭａｘ等の無線通信を利用することで、車載用電子装置をネットワークに接続させることができる。例えば、インターネット上のＷｅｂサーバにアクセスし、そこから所望のマルチメディア情報をダウンロードし、それを視聴することが可能となる。
【０００６】
このような車載用電子装置において、ＤＶＤやＵＳＢメモリに記録されたオーディオ信号を再生をしている最中に、音楽付きＷｅｂサイトにアクセスすると、ユーザが特に操作を行わない限り、双方の音声が混合した状態で出力されてしまい、ユーザに不快感を与えしまう。家庭用のパーソナルコンピュータであれば、ユーザは、音声切換操作やミュート操作を簡単に行うことができるが、車載環境では、ユーザは運転をしているため、そのような操作を行うことは必ずしも容易ではない。
【０００７】
本発明は、このような従来の課題を解決するものであり、複数のオーディオ信号が競合しても、混合した音声が出力されるのを防止する車載用電子装置を提供することを目的とする。
【課題を解決するための手段】
【０００８】
本発明に係る車載用電子装置は、通信回線を通じて外部からマルチメディア情報を受信する受信手段と、前記マルチメディア情報がオーディオ信号に関する情報を含んでいるか否かを解析する解析手段と、記録媒体からオーディオ信号を読み出す読出し手段と、前記解析手段の解析結果に応じて前記マルチメディア情報に含まれる第１のオーディオ信号を入力する第１の入力、前記読出し手段により読み出された第２のオーディオ信号を入力する第２の入力を含み、予め決められた取り決めに従い、前記第１の入力または第２の入力のいずれかを選択し、選択したオーディオ信号を再生する音声出力選択手段と、前記音声出力選択手段により再生された第１または第２のオーディオ信号を出力する出力手段とを含む。
【０００９】
好ましくは受信手段は、前記解析手段の解析結果に応じて前記マルチメディア情報に含まれる第１のオーディオ信号を前記音声出力選択手段に供給する。好ましくは音声出力選択手段は、前記第２の入力から第２のオーディオ信号が入力されている間に、前記第１の入力から第１のオーディオ信号の入力があったとき、前記第２の入力からの第２のオーディオ信号を再生出力する。また、車載用電子装置はさらに、ユーザからの入力を受け取る入力手段を含み、前記入力手段から第１のオーディオ信号を出力するための入力があったとき、前記音声出力選択手段は、前記第１の入力からの第１のオーディオ信号を再生出力するようにしてよい。
【００１０】
好ましくは前記音声出力選択手段は、前記第１の入力から第１のオーディオ信号が入力されている間に、前記第２の入力から第２のオーディオ信号が入力されたとき、前記第２の入力からの第２のオーディオ信号を再生出力する。好ましくはマルチメディア情報は、ネットワークに接続された情報端末からダウンロードされたＨＴＭＬファイルを含み、前記解析手段は、前記ＨＴＭＬファイルの記述から音声ファイルが含まれるか否かを解析する。また、前記解析手段は、前記マルチメディア情報のファイルの拡張子から音声ファイルか否かを解析することができる。
【発明の効果】
【００１１】
本発明によれば、第１および第２のオーディオ信号が競合したとき、予め決められた取り決めに従い、いずれか一方の入力を選択しそのオーディオ信号を再生出力するようにしたので、混合した音声が出力されるのを未然に防止することができる。さらに、選択は自動的になされるため、車載環境におけるユーザの操作の負担が軽減される。
【発明を実施するための最良の形態】
【００１２】
以下、本発明の最良の実施の形態について図面を参照して詳細に説明する。
【実施例】
【００１３】
図１は、本発明の実施例に係る車載用電子装置の構成を示すブロック図である。車載用電子装置１は、携帯電話、ＷｉＦｉ、ＷｉＭａｘなどの通信手段により外部のネットワーク１２を通じてＷｅｂサーバ（情報端末）１４に接続可能な通信部１０と、通信部１０を介してＷｅｂサーバ１４からＨＴＭＬファイルを受信するＨＴＭＬファイル受信部２０と、受信されたＨＴＭＬファイルを解析するＨＴＭＬファイル解析部３０と、ＨＴＭＬファイルをディスプレイに表示する表示部４０と、通信部１０を介してＷｅｂサーバから音声ファイルを受信する音声ファイル受信部５０と、ＣＤ、ＤＶＤ、ブルーレイディスク、メモリ、ハードディスク、外部接続された音声再生装置などからオーディオ信号を読み出すオーディオ読出し部６０と、音声ファイル受信部５０からのオーディオ信号（以下、第１のオーディオ信号という）またはオーディオ信号読出し部６０からのオーディオ信号（以下、第２のオーディオ信号という）を入力し出力音声制御信号Ｃに基づき第１または第２のオーディオ信号のいずれかを選択し、選択したオーディオ信号を再生する音声出力選択部７０と、再生されたオーディオ信号の増幅およびアナログ信号への変換を行うアンプ８０と、アンプ８０からのアナログオーディオ信号を出力するスピーカ９０と、操作部１００と、各部を制御する制御部１１０とを備えている。
【００１４】
操作部１００は、ユーザからの指示を入力可能とし、キーボード、リモコン、タッチパネルなどを含む。操作部１００から楽曲の再生指示や楽曲選曲情報が入力されると、制御部１１０は、再生指示や楽曲選曲情報に基づきオーディオ信号読出し部６０から対応するオーディオ信号を読み出させる。例えば、ＣＤやメモリに記憶された複数の楽曲の中から該当する楽曲データを読出し、これを第２のオーディオ信号として音声出力選択部７０へ供給する。
【００１５】
また、車載用電子装置１からＷｅｂサーバ１４をアクセスする場合には、操作部１００からＵＲＬ情報が入力される。制御部１１０は、ＵＲＬ情報に基づき通信部１０を介して対応するＷｅｂサーバ１４をアクセスする。このアクセスにより、Ｗｅｂサーバ１４からＨＴＭＬファイルがダウンロードされ、これがＨＴＭＬファイル受信部２０により受信される。受信されたＨＴＭＬファイルは、ＨＴＭＬファイル解析部３０において、ＨＴＭＬファイルにオーディオ信号に関する情報が含まれているか否が解析される。受信されたＨＴＭＬファイルはさらに、表示部４０において表示される。
【００１６】
ＨＴＭＬ解析部３０の解析結果は、通信部１０へ供給され、オーディオ信号に関する情報が含まれている場合には、通信部１０は、Ｗｅｂサーバ１４から音声ファイルを受信し、これを音声ファイル受信部５０へ供給する。音声ファイルは、自動的に受信されてもよいし、操作部１００からのユーザ入力に従うようにしてもよい。音声出力選択部７０は、音声ファイル受信部５０からの第1のオーディオ信号を入力することができ、またオーディオ信号読出し部６０からの第２のオーディオ信号を入力することができ、いずれかの入力のオーディオ信号を再生してアンプ８０へ出力する。音声出力選択部７０の選択の切替動作は、後述するように制御部１１０からの出力音声制御信号Ｃによって制御される。
【００１７】
次に、ＨＴＭＬファイル解析部３０について説明する。図２（ａ）は、ＨＴＭＬファイルのデータ例を示し、図２（ｂ）は、そのＨＴＭＬファイルの表示例を示している。ＨＴＭＬは、Ｗｅｂページを記述するためのマークアップ言語であり、文書の論理構成やスタイルなどを記述するために使用され、さらに文書中に画像、音声、動画、他の文書へのハイパーリンクなどを埋め込むことができる。
【００１８】
図２（ｂ）の表示画面には、記述されたＨＴＭＬに応じて、「メニュー」、「お好きな項目を選んでください」、「１．ニュース  ２．天気情報  ３．交通情報  ４．その他”」が表示される。さらにＨＴＭＬファイルに、オーディオ信号に関する記述２００が含まれている。図２（ｃ）は、この記述２００を抽出したものである。「ａａａ．ｍｐ３」は、楽曲ファイル名を示し、「ｌｏｏｐ」は、繰り返し再生を示し、「ａｕｔｏｓｔａｒｔ」は自動再生を示している。
【００１９】
ＨＴＭＬファイル解析部３０は、楽曲ファイル名の拡張子や、「ｌｏｏｐ」、「ａｕｔｏｓｔａｒｔ」のテキストが予め決められた判別データに一致するか否かを判定することで、オーディオ信号に関する記述の有無を解析する。ＨＴＭＬファイル解析部３０は、ＨＴＭＬファイルの解析結果として、通信部１０に対して楽曲ファイル（この例では、ａａａ．ｍｐ３）のダウンロードを要求し、ダウンロードされた楽曲ファイルのオーディオ信号が音声ファイル受信部５０に受信される。
【００２０】
次に、音声出力選択部の動作について説明する。音声出力選択部７０は、上記したように、音声ファイル受信部５０からの第１のオーディオ信号を入力する第１の入力と、オーディオ信号読出し部６０からの第２のオーディオ信号を入力する第２の入力とを有し、出力音声制御信号Ｃに基づき第１または第２のオーディオ信号を選択する。第１の入力または第２の入力のいずれか一方からのみオーディオ信号が入力されている場合には、そのオーディオ信号が再生出力されるが、第１および第２の入力の双方からオーディオ信号が入力された場合には、予め決められた取り決めに従い第１または第２のオーディオ信号のいずれかが選択される。
【００２１】
図３は、出力音声制御信号Ｃの論理値と音声出力選択部との関係を示すテーブルである。出力音声制御信号ＣがハイレベルＨのとき、第１の入力は選択され、ローレベルＬのとき、第２の入力が選択される。
【００２２】
制御部１１０は、操作部１００、オーディオ信号読出し部６０および通信部１０の動作状態に基づき、音声出力選択部７０のオーディオ信号の入力状態を監視する。制御部１１０は、好ましくは図４に示すような判定テーブルをメモリに含み、当該判定テーブルに従い出力音声制御信号Ｃの論理状態を決定する。
【００２３】
図４に示すように、Ｗｅｂサーバ１４からの第１のオーディオ信号のみが入力されている状態のとき、出力音声信号ＣはＨレベルとなり、従って、Ｗｅｂサーバからの第１のオーディオ信号が再生出力される。オーディオ信号読出し部６０からの第２のオーディオ信号のみが入力されている状態のとき、出力音声制御信号ＣはＬレベルとなり、従って、第２のオーディオ信号が再生出力される。
【００２４】
第１のオーディオ信号が再生されている間に、第２のオーディオ信号が入力された場合には、出力音声制御信号ＣはＬレベルとなる。これにより、音声出力選択部７０は、オーディオ信号読出し部６０からの第２のオーディオ信号を再生出力する。他方、第２のオーディオ信号が再生されている間に、第１のオーディオ信号が入力された場合には、出力音声信号ＣはＬレベルとなり、オーディオ信号読出し部６０からのオーディオ信号が再生出力され、Ｗｅｂサーバ１４からのオーディオ信号は再生出力されない。
【００２５】
図５は、本実施例の車載用電子装置の動作例を示すフローチャートである。まず、操作部１００からＵＲＬ情報が入力されると（ステップＳ１０１）、制御部１１０は、通信部１０を介してＷｅｂサーバ１４をアクセスする。そして、Ｗｅｂサーバ１４からＨＴＭＬファイルが通信部１０を介してダウンロードされ、ＨＴＭＬファイル受信部２０に受信される（ステップＳ１０２）。
【００２６】
次に、ＨＴＭＬファイル解析部３０は、ＨＴＭＬファイルを解析し（ステップＳ１０３）、オーディオ信号に関する情報が含まれているか否かを判定する（ステップＳ１０４）。次いで、受信されたＨＴＭＬファイルは、表示部４０で表示される。また、ＨＴＭＬファイル解析部３０の解析結果が通信部１０へ供給され、通信部１０は、この解析結果に応答してＷｅｂサーバ１４から対応する音声ファイルをダウンロードし、この音声ファイルが音声ファイル受信部５０によって受信される（ステップＳ１０５）。音声ファイル受信部５０は、音声ファイルが圧縮されているような場合には解凍し、これを第１のオーディオ信号として音声出力選択部７０へ出力する（ステップＳ１０６）。
【００２７】
制御部１１０は、オーディオ信号読出し部６０からの第２のオーディオ信号が再生中かを判定し（ステップＳ１０７）、第２のオーディオ信号が再生中であれば、Ｌレベルの出力音声制御信号Ｃの状態を維持し、第２のオーディオ信号のみを再生出力させる（ステップＳ１０８）。他方、第２のオーディオ信号が再生中でなければ、Ｈレベルの出力音声制御信号Ｃを出力し、Ｗｅｂサーバ１４からのオーディオ信号を再生出力させる（ステップＳ１０９）。
【００２８】
このように本実施例によれば、Ｗｅｂサーバからの第１のオーディオ信号とオーディオ読出し部からの第２のオーディオ信号が競合した場合であっても、自動的に一方のオーディオ信号を選択的に出力することができ、車載環境におけるユーザの操作の負担を軽減することができる。
【００２９】
なお上記実施例では、第１および第２のオーディオ信号が競合する場合には、常に第２のオーディオ信号の再生が優先されるようにしたが、例えば、操作部１００から第１のオーディオ信号の再生を指示するユーザ入力があった場合には、第２のオーディオ信号の再生を停止し、第１のオーディオ信号の再生を行うようにしてもよい。
【００３０】
また、図６に示すようにＨＴＭＬファイルの表示画面に音声出力を指示する入力ボタン２１０が存在し、ユーザが入力ボタン２１０を選択した場合には、第２のオーディオ信号の再生を停止し、第１のオーディオ信号の再生を行うようにしてもよい。
【００３１】
次に、本発明の第２の実施例について説明する。第１の実施例は、ＨＴＭＬファイルにオーディオ信号に関する情報が含まれる場合を例示したが、第２の実施例は、Ｗｅｂサーバ１４からダイレクトにオーディオ信号をダウンロードする例を説明する。
【００３２】
図７は、第２の実施例の動作を示すフローチャートである。まず、操作部１００からＵＲＬ情報が入力されると（ステップＳ２０１）、制御部１１０は、通信部１０を介してＷｅｂサーバ１４をアクセスする。通信部１０は、Ｗｅｂサーバ１４からデータファイルをダウンロードし（ステップＳ２０２）、データファイルが音声ファイルか否かを判定する（ステップＳ２０３）。音声ファイルか否かの判定は、データファイルの拡張子を識別することによって行われる。拡張子とは、ファイル名のうち、ピリオド「.」で区切られた一番右側の部分であり、ファイルの種類を表す３〜４文字のアルファベットからなる文字列である。代表的な非可逆圧縮の音声形式には、ＭＰ３（ＭＰＥＧ Ａｕｄｉｏ Ｌａｙｅｒ−３）、ＷＭＡ（Ｗｉｎｄｏｗｓ Ｍｅｄｉａ Ａｕｄｉｏ）、ＡＡＣ（Ａｄｖａｎｃｅｄ Ａｕｄｉｏ Ｃｏｄｉｎｇ）などがあり、これらのファイル形式で作成された音楽ファイルの拡張子は、ｍｐ３、ｗｍａ、ａａｃとなる。また、拡張子が例えば、ｔｘｔ、ｐｄｆ等であれば音声ファイルではないと判定する。
【００３３】
通信部１０は、データファイルが音声ファイルか否かの判定結果を制御部１１０へ伝える。次に、制御部１１０は、オーディオ信号読出し部６０からの第２のオーディオ信号が再生中であるか否かを判定し（ステップＳ２０４）、再生中であれば、出力音声制御信号ＣのＬレベルを維持することで、第２のオーディオ信号の再生が継続される（ステップＳ２０５）。これにより、第１のオーディオ信号は再生出力されない。他方、第２のオーディオ信号が再生中でない場合には、出力音声制御信号ＣをＨレベルとすることで、第１のオーディオ信号が再生される（ステップＳ２０５）。
【００３４】
以上、本発明の好ましい実施の形態について詳述したが、本発明は、特定の実施形態に限定されるものではなく、特許請求の範囲に記載された本発明の要旨の範囲内において、種々の変形・変更が可能である。
【図面の簡単な説明】
【００３５】
【図１】本発明の実施例に係る車載用電子装置の構成を示すブロック図である。
【図２】図２（ａ）はＨＴＭＬファイルのデータ例、図２（ｂ）は図２（ａ）の表示例、図２（ｃ）は、オーディオ信号に関する記述例である。
【図３】出力音声制御信号と音声出力選択部との関係を示すテーブルである。
【図４】制御部が実行する判定テーブルを示す図である。
【図５】第１の実施例に係る車載用電子装置の音声出力動作を示すフローチャートである。
【図６】第１の実施例における変形例を説明する図である。
【図７】第２の実施例に係る車載用電子装置の音声出力動作を示すフローチャートである。
【符号の説明】
【００３６】
１：車載用装置                      １０：通信部
１２：ネットワーク                  １４：Ｗｅｂサーバ
２０：ＨＴＭＬファイル受信部        ３０：ＨＴＭＬファイル解析部
４０：表示部                        ５０：音声ファイル受信部
６０：オーディオ再生部              ７０：音声出力選択部
８０：アンプ                        ９０：スピーカ
１００：操作部                      １１０：制御部
【図１】
2009274580.tif 000003
【図２】
2009274580.tif 000004
【図３】
2009274580.tif 000005
【図４】
2009274580.tif 000006
【図５】
2009274580.tif 000007
【図６】
2009274580.tif 000008
【図７】
2009274580.tif 000009